(57)【要約】      （修正有） 【課題】小型で、移動も容易で、使用後の清掃も簡単に行うことができ、個人的にも気軽に使用することのできる団子焼き器を提供する。【解決手段】有底の上面が開口し外周面に串差し用の俵を備えた火床と、該火床を載置する天板３ａ及び該天板の底面側中央に下方に向かって垂設した軸からなる回転台３と、中央に前記軸を挿通する孔を穿設した板の上面外周付近に複数の回転体４ｂを備え、下面には複数の脚を備えた土台部４とからなることを特徴とする。【選択図】図１
0003168796.tif 000002
【実用新案登録請求の範囲】
【請求項１】
有底の上面が開口し外周面に串差し用の俵を備えた火床と、
前記火床を載置する天板及び前記天板の底面側中央に下方に向かって垂設した軸からなる回転台と、中央に前記軸を挿通する孔を穿設した板の上面外周付近に複数の回転体を備え、下面には複数の脚を備えた土台部とからなることを特徴とする団子焼き器。
【請求項２】
前記火床を、開口の周面である上縁に複数の孔を穿設し、前記孔に紐状の留め具を係止しながら前記俵を火床に固定し、前記火床内に軽石を敷き詰めた後に前記軽石上に炭を配置した火床とし、
前記土台部を、前記板の上面に取付け具を介して複数の回転体を回動可能に取付けた土台部とし、
前記回転台の軸を前記土台部の孔に挿通するとともに、前記天板の底面を各回転体に接触させて前記回転台が前記土台部上で回動可能としたことを特徴とする請求項１に記載の団子焼き器。
【考案の詳細な説明】
【技術分野】
【０００１】
本考案は、団子焼き器に関する。
【背景技術】
【０００２】
従来、団子を焼く場合、ガスバーナー等の火力を備えた焼き器を使用して、前記焼き器の上に張られた網に団子を置き、焼き目とタレを交互に付けながら焼いていた。
【０００３】
しかしながら、従来の焼き器は大型で場所を取るため重く、専門的に店舗を構えるような場合でなければ容易に使用できるものではなかった。
【０００４】
また、タレを付けて、網で焼く行程を繰り返す内に焼き器内にタレが落ちたり、網にタレが焼き付いたりするため、使用後の清掃が手間となっていた。
【０００５】
更に、上記のような問題があるにもかかわらず高額であった。
【先行技術文献】
【特許文献】
【０００６】
【特許文献１】特開平７−２９１号公報
【考案の概要】
【考案が解決しようとする課題】
【０００７】
そこで、本考案は、小型で、移動も容易で、使用後の清掃も簡単に行うことができ、個人的にも気軽に使用することのできる団子焼き器を提供する。
【課題を解決するための手段】
【０００８】
本考案は、上記の課題を解決するために、有底の上面が開口し外周面に串差し用の俵２ｂを備えた火床２ａと、前記火床２ａを載置する天板３ａ及び前記天板３ａの底面側中央に下方に向かって垂設した軸３ｂからなる回転台３と、中央に前記軸３ｂを挿通する孔４ｄを穿設した板４ａの上面外周付近に複数の回転体４ｂを備え、下面には複数の脚４ｅを備えた土台部４とからなることを特徴とする団子焼き器１の構成とした。
【０００９】
また、前記火床２ａを、開口の周面である上縁２ｄに複数の孔２ｆを穿設し、前記孔２ｆに紐状の留め具２ｇを係止しながら前記俵２ｂを火床２ａに固定し、前記火床２ａ内に軽石２ｃを敷き詰めた後に前記軽石２ｃ上に炭２ｈを配置した火床２ａとし、前記土台部４を、前記板４ａの上面に取付け具４ｃを介して複数の回転体４ｂを回動可能に取付けた土台部とし、前記回転台３の軸３ｂを前記土台部４の孔４ｄに挿通するとともに、前記天板３ａの底面を各回転体４ｂに接触させて前記回転台３が前記土台部４上で回動可能としたことを特徴とする団子焼き器の構成とした。
【考案の効果】
【００１０】
本考案は、上記のような構成であるため、全くの素人であっても一時的に出し物等で団子屋を行うような場合から店舗を構えて専門的に行う者まで幅広く、かつ簡単に、しかも安価に団子焼きを行うことができる。
【００１１】
また、使用後の清掃が簡単であるため、常に衛生的な状況で団子を焼き、提供することができる。
【図面の簡単な説明】
【００１２】
【図１】本考案である団子焼き器を使用した状態の側面図である。
【図２】本考案である団子焼き器の側面図及び断面図である。
【図３】本考案である団子焼き器の焼き部の側面図及び平面図である。
【図４】本考案である団子焼き器の回転台の平面図及び底面図である。
【図５】本考案である団子焼き器の回転台の側面図である。
【図６】本考案である団子焼き器の土台部の平面図及び底面図である。
【図７】本校案である団子焼き器の土台部の側面図である。
【考案を実施するための形態】
【００１３】
以下、添付の図面を参照し、本考案の実施の形態について詳細に説明する。
【実施例１】
【００１４】
図１は本考案である団子焼き器を使用した状態の側面図、図２は団子焼き器の側面図及び断面図、図３は団子焼き器の焼き部の側面図及び平面図、図４は団子焼き器の回転台の平面図及び底面図、図５は団子焼き器の回転台の側面図、図６は団子焼き器の土台部の平面図及び底面図、図７は団子焼き器の土台部の側面図である。
【００１５】
図１から図７に示すように、本校案である団子焼き器１は、有底の上面が開口し外周面に串差し用の俵２ｂを備えた火床２ａと、前記火床２ａを載置する天板３ａ及び前記天板３ａの底面側中央に下方に向かって垂設した軸３ｂからなる回転台３と、中央に前記軸３ｂを挿通する孔４ｄを穿設した板４ａの上面外周付近に複数の回転体４ｂを備え、下面には複数の脚４ｅを備えた土台部４とからなる。
【００１６】
前記火床２ａには開口の周面である上縁２ｄに複数の孔２ｆを穿設されおており、前記孔２ｆに紐状の留め具２ｇを係止しながら前記俵２ｂを火床２ａに固定し、前記火床２ａ内には軽石２ｃを敷き詰めた後に前記軽石２ｃ上に炭２ｈが配置されている。
【００１７】
前記土台部４の板４ａの上面には取付け具４ｃを介して複数の回転体４ｂが回動可能に取付けられている。
【００１８】
前記回転台３と土台部４の連結は、前記回転台３の軸３ｂを前記土台部４の孔４ｄに挿通するとともに、前記天板３ａの底面を各回転体４ｂに接触させて前記回転台３が前記土台部４上で回動できるように連結されている。
【００１９】
図２及び図３に示すように、火床２ａは有底で上面が大きく開口した円形のトレー型をしており、上面の外周面に上縁２ｄを備えている。前記上縁２ｄには複数の孔２ｆが穿設されている。
【００２０】
前記火床２ａの外側面には周面に渡って厚みを持たせて俵２ｂを巻き付けてられている。前記孔２ｆに紐状の留め具２ｇを係止しながら前記留め具２ｇで俵２ｂを縛り付けることにより、火床２ａと俵２ｂはしっかり固定されている。図１に示すように、この俵２ｂには団子５の串部分を刺すことができる。
【００２１】
前記火床２ａ内には、軽石２ｃが敷き詰められており、この軽石２ｃの上に火の付いた炭を置いて使用する。前記軽石２ｃは特に限定したものではなく、灰や石等であっても良いが、持ち運びや清掃又は団子を焼いている最中の衛生面からも軽石が好適である。尚、図面上、火床２ａ、俵２ｂ、軽石２ｃ等からなる部分を焼き部２とした。
【００２２】
図４及び図５に示すように、前記回転台３は、円形の天板３ａと前記天板３ａの底面中央に下方に向かって垂設された軸３ｂからなる。前記軸３ｂは後に説明する土台部４の孔４ｄに挿入され、前記天板３ａの上面には前記火床２ａが載置される。
【００２３】
図６及び図７に示すように、前記土台部４は、中央に孔４ｄを穿設した円形の板４ａと、前記板４ａの上面の外周付近に取付け具４ｃを介して回動可能に取り付けられる複数の回転体４ｂと、前記板４ａの下面の外周付近に取り付けられる複数の脚４ｅからなる。
【００２４】
図６では、前記回転体４ｂを等間隔に４つ取付け、対面の回転体とは平行となり、両隣の回転体とは垂直となるように取り付けた。また、脚４ｅについても等間隔に４つ取り付けた。但し、前記回転体４ｂ及び脚４ｅの取付数は限定したものではない。
【００２５】
図１に示すように、本考案の設置方法は、まず脚４ｅを下にして土台部４を設置し、前記土台部４の上に回転台３を載せる。このとき、回転台３の軸３ｂは土台部４の孔４ｄに挿入された状態となっており、天板３ａの底面は各回転体４ｂと接している。
【００２６】
前記軸３ｂが孔４ｄに挿入されているため、回転台３を回転させても回転台３と土台部４の中心軸はずれることはなく、作業中に回転台３が土台部４から脱落することもない。
【００２７】
次に、前記回転台３上に焼き部２を載置し、火床２ａに軽石２ｃを敷き詰め、火の付いた炭２ｈを軽石２ｃ上に置き準備が完了する。
【００２８】
以上の準備が整ったら、焼く団子５を焼き部２の俵２ｂに差し、団子５の様子を見ながら串を回したり、位置を変えたり、タレを付けたりしながら団子５を焼く。図１に示すように、俵２ｂはきつく締め付けられているため、団子５を刺す際に角度を付けて刺すこともでき、団子５の差し具合や差し位置を調整することで団子５の焼き加減を調整することができる。
【００２９】
また、回転台３を回転させることで容易に対面側にある離れた位置の団子５を手前に移動させることができ、無理に手を伸ばして取ったりすることなく安全に焼き作業をすることができる。
【産業上の利用可能性】
【００３０】
本考案である団子焼き器は、小型で持ち運びも簡単で、使用後の手入れが容易で、更に安価であるため、小規模から大規模まで幅広く使用することができる。
【符号の説明】
【００３１】
１    団子焼き器
２    焼き部
２ａ  火床
２ｂ  俵
２ｃ  軽石
２ｄ  上縁
２ｅ  底面
２ｆ  孔
２ｇ  留め具
２ｈ  炭
３    回転台
３ａ  天板
３ｂ  軸
４    土台部
４ａ  板
４ｂ  回転体
４ｃ  取付け具
４ｄ  孔
４ｅ  脚
５    団子
【図１】
0003168796.tif 000003
【図２】
0003168796.tif 000004
【図３】
0003168796.tif 000005
【図４】
0003168796.tif 000006
【図５】
0003168796.tif 000007
【図６】
0003168796.tif 000008
【図７】
0003168796.tif 000009